(57)【要約】【課題】光ディスク装置において、待機電力を低減させると共に、製造コストを抑制する。【解決手段】光ディスク装置であるＤＶＤプレーヤは、挿入検出スイッチ３６と、搬送ローラ３７と、駆動ギア４１を介して搬送ローラ３７を駆動させる搬送ローラ駆動部とを備える。搬送ローラ３７の回転軸３７ａは、一端３７ａ１が筐体１０内部に位置固定され、他端３７ａ２が、ＤＶＤディスクｄが挿入口１６に挿入されるときに挿入検出スイッチ３６を押圧する方向に移動自在である。ＤＶＤディスクｄが挿入口１６に挿入されると、他端３７ａ２が移動することにより駆動ギア４１の面状部が移動して挿入検出スイッチ３６を押圧してオンにする。そして、挿入検出スイッチ３６が内部のバネにより駆動ギアを挿入方向と反対方向に付勢して押し戻すことにより、搬送ローラ３７が位置固定される。【選択図】図５
2010113787.tif 000002
【特許請求の範囲】
【請求項１】
挿入口に挿入された光ディスクを装置内部に搬送する搬送ローラと、
前記搬送ローラを回転駆動させる搬送ローラ駆動手段と、
前記搬送ローラ駆動手段を駆動させるか否かを切り換えるスイッチ手段とを備え、前記光ディスクに記録された情報を読み取って再生する光ディスク再生装置において、
前記搬送ローラの回転軸は、一端が位置固定され、他端が前記挿入口に光ディスクが挿入されるときに、前記スイッチ手段を押圧する方向に移動自在であり、
前記搬送ローラの前記他端側に連結されたギアをさらに備え、
前記スイッチ手段は、前記挿入口に光ディスクが挿入されて前記搬送ローラの回転軸が移動したときに、前記搬送ローラにおける前記他端側の一部又は前記ギアが当接し得る位置に配設されており、前記搬送ローラを前記光ディスクの挿入方向と反対方向に付勢する付勢手段を有し、
前記挿入口に光ディスクが挿入されると、前記搬送ローラの回転軸が移動することにより、前記他端側の一部又は前記ギアが前記スイッチ手段を押圧してオンにし、前記搬送ローラ駆動手段を駆動状態に切り換えることを特徴とする光ディスク再生装置。
【請求項２】
前記ギアが前記スイッチ手段を押圧してオンにすることを特徴とする請求項１に記載の光ディスク再生装置。
【請求項３】
前記挿入口への光ディスクの挿入時に、前記スイッチ手段は、前記ギアにより押圧されてオンにされた後に、前記付勢手段により前記ギアを前記光ディスクの挿入方向と反対方向に付勢して、前記搬送ローラの位置を固定させることを特徴とする請求項２に記載の光ディスク再生装置。
【発明の詳細な説明】
【技術分野】
【０００１】
本発明は、光ディスク装置に関し、特に待機電力を低減させることができる光ディスク装置に関する。
【背景技術】
【０００２】
従来から光ディスクを装置内部や装置外部に搬送するための搬送ローラを備える光ディスク装置が知られている。この種の光ディスク装置は、光ディスクの挿入を検出するための挿入検出用光センサと、光ディスクの排出を検出する排出検出用光センサとを有し、光ディスクの挿入時には、挿入検出用光センサによって光ディスクの挿入が検出されたときに搬送ローラを駆動させて光ディスクを装置内部に搬送する。
【０００３】
上記各光センサには、例えば赤外線ＬＥＤ（Ｌｉｇｈｔ  Ｅｍｉｔｔｉｎｇ  Ｄｉｏｄｅ）と、この赤外線ＬＥＤから発光された光を受光するフォトトランジスタとから構成されるものが知られている。例えば、挿入検出用光センサは、赤外線ＬＥＤが常に発光しており、光ディスクが挿入されていないときにフォトトランジスタが光を検知する。一方、光ディスクが挿入された場合、赤外線ＬＥＤから発光される光は、挿入された光ディスクによって遮られるので、フォトトランジスタは光を検知しない。従って、この種の光ディスク装置は、フォトトランジスタによる光の検出の有無によって光ディスクの挿入の有無を検出している。
【０００４】
しかしながら、上記挿入検出用光センサでは、光ディスクの挿入を待つ状態（待機状態）において、常に赤外線ＬＥＤを発光させると共にフォトトランジスタに受光を行わせなければならないため、待機状態における光ディスク装置の待機電力を低減させることができないという問題がある。
【０００５】
これに対して、例えば特許文献１には、挿入された光ディスクによって記録媒体搬送手段が少し動かされたことを検出することにより、光ディスクの挿入を検出することができる光ディスク装置が開示されている。この光ディスク装置によれば、挿入検出用光センサを必要とせずに光ディスクの挿入を検出することができる。しかしながら、この光ディスク装置では、光ディスクによって動かされる記録媒体搬送手段の位置を保持するための部材が必要となるため製造コストを抑制することができない。
【０００６】
また、特許文献２には、光ディスクの挿入口と搬送ローラとの間に光ディスクの挿入を検出する一対の検出ピンを設けた光ディスク装置が開示されている。また、特許文献３には、光ディスクの挿入口の近傍に光ディスク検出片を設けた光ディスク装置が開示されている。しかし、これらの光ディスク装置では、搬送ローラを駆動させるか否かを切り換えるための本来の挿入検出用のスイッチに加えて、検出ピンやディスク検出片を設ける必要があるため部品点数が多くなり製造コストを抑制できない。
【特許文献１】特開平１０−２１６２０号公報
【特許文献２】特許３６３８６５５号
【特許文献３】特開平６−１３１７９５号公報
【発明の開示】
【発明が解決しようとする課題】
【０００７】
本発明は、上述した問題点を解決するためになされたものであり、待機電力を低減させると共に、製造コストを抑制することができる光ディスク装置を提供することを目的とする。
【課題を解決するための手段】
【０００８】
上記目的を達成するために請求項１の発明は、挿入口に挿入された光ディスクを装置内部に搬送する搬送ローラと、前記搬送ローラを回転駆動させる搬送ローラ駆動手段と、前記搬送ローラ駆動手段を駆動させるか否かを切り換えるスイッチ手段とを備え、前記光ディスクに記録された情報を読み取って再生する光ディスク再生装置において、前記搬送ローラの回転軸は、一端が位置固定され、他端が前記挿入口に光ディスクが挿入されるときに、前記スイッチ手段を押圧する方向に移動自在であり、前記搬送ローラの前記他端側に連結されたギアをさらに備え、前記スイッチ手段は、前記挿入口に光ディスクが挿入されて前記搬送ローラの回転軸が移動したときに、前記搬送ローラにおける前記他端側の一部又は前記ギアが当接し得る位置に配設されており、前記搬送ローラを前記光ディスクの挿入方向と反対方向に付勢する付勢手段を有し、前記挿入口に光ディスクが挿入されると、前記搬送ローラの回転軸が移動することにより、前記他端側の一部又は前記ギアが前記スイッチ手段を押圧してオンにし、前記搬送ローラ駆動手段を駆動状態に切り換えるものである。
【０００９】
請求項２に記載の発明は、請求項１に記載の光ディスク装置において、前記ギアが前記スイッチ手段を押圧してオンにするものである。
【００１０】
請求項３に記載の発明は、請求項２に記載の光ディスク装置において、前記挿入口への光ディスクの挿入時に、前記スイッチ手段は、前記ギアにより押圧されてオンにされた後に、前記付勢手段により前記ギアを前記光ディスクの挿入方向と反対方向に付勢して、前記搬送ローラの位置を固定させるものである。
【発明の効果】
【００１１】
請求項１の発明によれば、挿入口に光ディスクが挿入されると、搬送ローラの回転軸が移動することにより、他端側の一部又はギアがスイッチ手段を押圧してオンにし、搬送ローラ駆動手段を駆動状態に切り換える。そのため、従来のように、光ディスクの挿入の有無を検出するための光センサが必要ないので、光ディスク装置の待機電力を低減させることができる。
【００１２】
請求項３の発明によれば、挿入口への光ディスクの挿入時に、付勢手段が、光ディスクの挿入方向と反対方向にギアを付勢して搬送ローラの位置を固定させる。そのため、搬送ローラの位置を固定するための、例えばスプリング等の部材が不要となるので、光ディスク装置の製造コストを抑制することができる。
【発明を実施するための最良の形態】
【００１３】
以下、本発明の一実施形態に係るＤＶＤ（Ｄｉｇｉｔａｌ  Ｖｅｒｓａｔｉｌｅ  Ｄｉｓｃ）プレーヤ（光ディスク装置）について、図１乃至図３を参照して説明する。図１は、リモコン装置２によって操作されるＤＶＤプレーヤ１の外観を示し、図２はＤＶＤプレーヤ１の内部構成を示し、図３は、リモコン装置２の上面を示す。
【００１４】
ＤＶＤプレーヤ１は、図１及び図２に示すように、筐体１０と、ユーザによって操作され、装置に指示を与えるためのリモコン装置２と、リモコン装置２から送信されるリモコン信号を受信するリモコン信号受信部１１と、筐体１０外部に露出するように設けられたＨＤＭＩ端子等から構成される端子部１２とを備える。また、ＤＶＤプレーヤ１は、ＤＶＤディスクｄを内部に着脱可能であり、筐体１０内部に装着されたＤＶＤディスクｄからデータの読み出しを行う光ディスクドライブ１３と、装置各部を制御するための制御用マイコン１４と、制御用マイコン１４を動作させるためのプログラム等が記憶されたメモリ１５とをさらに備える。
【００１５】
筐体１０の前面１０ａには、ＤＶＤディスクｄの挿入口１６が設けられている。制御用マイコン１４は、光ディスクドライブ１３から読み出されたＤＶＤディスクｄの映像データや音声データを、端子部１２を介して接続されたテレビ等の映像表示装置に出力する。また、制御用マイコン１４は、リモコン信号受信部１１から送出されたリモコン信号に含まれるリモコンコードを受信し、このリモコンコードの内容に基づく装置各部の制御や、ＤＶＤディスクｄの光ディスクドライブ１３への搬入及び搬出動作の制御を行う。
【００１６】
リモコン装置２は、図３に示すように、ＤＶＤプレーヤ１に対して電源オン／オフを指示するためのＰＯＷＥＲ  ＯＮ／ＯＦＦボタン２０と、リモコン信号を送信するためのリモコン信号送信部２１と、ＤＶＤディスクｄ内部に記録されたチャプター等を選択するための「０」〜「９」の数字キー２２（２２ａ〜２２ｊ）と、決定キー２３とを有する。また、リモコン装置２は、ＤＶＤディスクｄの再生を指示するための再生ボタン２４と、再生停止を指示するための停止ボタン２５と、巻戻しを指示するための巻戻しボタン２６と、早送りを指示するための早送りボタン２７と、再生の一時停止を指示するための一時停止ボタン２８と、ＤＶＤディスクｄの取り出しを指示するための取出しボタン２９とをさらに有する。
【００１７】
次に、光ディスクドライブ１３の概略構成について、図４を参照して説明する。光ディスクドライブ１３は、ＤＶＤディスクｄを回転させるターンテーブル３０と、ターンテーブル３０を回転させるためのスピンドルモータ３１と、スピンドルモータ３１の回転速度を制御するスピンドルモータ制御部３２と、ＤＶＤディスクｄに対してデータの読み出しを行う光ピックアップ３３とを有する。また、光ディスクドライブ１３は、光ピックアップ３３をＤＶＤディスクｄの径方向に移動させるスレッドモータ３４と、スレッドモータ３４の動作を制御するスレッドモータ制御部３５とを備える。
【００１８】
また、光ディスクドライブ１３は、ＤＶＤディスクｄの挿入を検出するための挿入検出スイッチ（スイッチ手段）３６と、ＤＶＤディスクｄを搬送する搬送ローラ３７と、モータ等から構成され、駆動ギア（ギア）４１を介して搬送ローラ３７を回転駆動させる搬送ローラ駆動部（搬送ローラ駆動手段）３８とをさらに備える。また、光ディスクドライブ１３は、ＤＶＤディスクｄの排出完了動作を検出するための排出検出光センサ部３９と、導光板４０とをさらに備える。
【００１９】
光ピックアップ３３は、ＤＶＤディスクｄから読み取ったデータを制御用マイコン１４に送信する。挿入検出スイッチ３６は、バネ（付勢手段）３６ａを有し、ＤＶＤディスクｄの挿入口１６（図１参照）への挿入を検出し、搬送ローラ駆動部３８を駆動させるか否かを切り換えることができる。詳細については後述する。
【００２０】
搬送ローラ３７は、挿入口１６に挿入されたＤＶＤディスクｄの装置内部への搬送、及び装置内部に装着されたＤＶＤディスクｄの装置外部への搬送を行うものである。搬送ローラ駆動部３８は、挿入検出スイッチ３６によってＤＶＤディスクｄの挿入が検出されたときにスイッチオンされて、ＤＶＤディスクｄを装置内部に搬送する方向に搬送ローラ３７を回転駆動させることができる。また、搬送ローラ駆動部３８は、例えばユーザによってリモコン装置２の取出しボタン２９（図３参照）が押下されたときにスイッチオンされて、ＤＶＤディスクｄを装置外部に排出する方向に搬送ローラ３７を回転駆動させることができる。
【００２１】
排出検出光センサ部３９は、例えば赤外線ＬＥＤ（Ｌｉｇｈｔ  Ｅｍｉｔｔｉｎｇ  Ｄｉｏｄｅ）等から構成される発光部３９ａと、例えばフォトダイオード等から構成される受光部３９ｂとを有する。発光部３９ａから発光された光は導光板４０を通って受光部３９ｂを照射する。これにより、受光部３９ｂが光を受光することができる。一方、ターンテーブル３０に装着されたＤＶＤディスクｄが装置外部に排出されるときは、ＤＶＤディスクｄが発光部３９ａから発光された光を遮断するので、受光部３９ｂは光を受光することができない。
【００２２】
その後、ＤＶＤディスクｄが完全に排出されると、発光部３９ａから発光された光が導光板４０を通って受光部３９ｂに照射されるので、受光部３９ｂが光を受光する。このように、受光部３９ｂによる光の受光の有無を検出することによってＤＶＤディスクｄの搬出動作の完了を検出することができる。従って、例えば、受光部３９ｂによって光が受光されたときに搬送ローラ駆動部３８による搬送ローラ３７の回転駆動を終了させる等の制御を行うことができる。
【００２３】
次に、挿入検出スイッチ３６及び搬送ローラ３７の構成と、挿入検出スイッチ３６のオン／オフに伴う動作について、図５乃至図７を参照して説明する。図５は、筐体１０内における光ディスクドライブ１３の構成を示し、図６は、図５の領域Ａ近傍を示し、図７は、図６のＢ−Ｂ´線の断面を示す。
【００２４】
搬送ローラ３７の回転軸３７ａは、回転軸３７ａの一端３７ａ１が筐体１０の内部に位置固定され、回転軸３７ａの他端３７ａ２が、挿入口１６にＤＶＤディスクｄが挿入されるときに挿入検出スイッチ３６を押圧する方向に移動自在である。具体的には、図７に示すように、回転軸３７ａの他端３７ａ２が、筐体１０内部の凹形状部１０ｂ内に位置し、挿入検出スイッチ３６を押圧する方向（図の白抜き矢印方向）に移動自在である。また、他端３７ａ２には、図５及び図６に示すように、駆動ギア４１が連結されており、搬送ローラ駆動部３８によって駆動ギア４１が駆動されることにより搬送ローラ３７は回転駆動される。
【００２５】
挿入検出スイッチ３６は、図５及び図６に示すように、挿入口１６にＤＶＤディスクｄが挿入されて搬送ローラ３７が移動したときに他端３７ａ２側の駆動ギア４１が当接し得る位置に配設されている。また、挿入検出スイッチ３６の先端は、凸形状であり、先端の凸部が押圧されることによりオンされると共に、内部にバネ３６ａを有し、バネ３６ａの付勢によって先端の凸部が駆動ギア４１をＤＶＤディスクｄの挿入方向と反対方向に付勢する。挿入検出スイッチ３６は、この付勢により、後述するように駆動ギア４１を押圧するので他端３７ａ２の位置を固定させると共に、搬送ローラ３７の位置を固定させる。
【００２６】
駆動ギア４１は、図６に示すように、表面が歯車形状から成る歯車形状部４１ａと、表面が面形状から成る面状部４１ｂとを有する。歯車形状部４１ａは、搬送ローラ駆動部３８のモータ等と連結されたギア（図示せず）と係合して回転駆動される。面状部４１ｂには、挿入検出スイッチ３６の凸部先端が付勢されている。
【００２７】
次に、光ディスク装置１におけるＤＶＤディスクｄの搬送動作について、図８を参照して説明する。図８（ａ）〜（ｃ）は、ＤＶＤディスクｄを内部に搬送する動作を示し、図８（ｄ）〜（ｆ）は、それぞれ（ａ）〜（ｃ）に示す状態における側面を示す。
【００２８】
まず、ＤＶＤディスクｄを挿入口１６に挿入する前の状態においては、図８（ａ）及び（ｄ）に示すように、挿入検出スイッチ３６が、駆動ギア４１の面状部４１ｂを押圧して搬送ローラ３７の位置を固定している。
【００２９】
そして、ＤＶＤディスクｄが挿入口１６に挿入されると、図８（ｂ）及び（ｅ）に示すように、搬送ローラ３７の他端３７ａ２が移動することにより駆動ギア４１の面状部４１ｂが移動し、面状部４１ｂが挿入検出スイッチ３６を押圧する。これにより、挿入検出スイッチ３６がオンし、搬送ローラ駆動部３８が駆動状態に切り換わる。具体的には、駆動ギア４１の面状部４１ｂが、図８（ｅ）の破線で示す面状部４１ｂ´の位置から実線で示す面状部４１ｂの位置に移動して挿入検出スイッチ３６を押圧する。
【００３０】
そして、挿入検出スイッチ３６は、面状部４１ｂにより押圧されてオンにされた後に、バネ３６ａ（図６参照）により、駆動ギア４１の面状部４１ｂをＤＶＤディスクｄの挿入方向と反対方向に付勢して押し戻す。これにより、図８（ｃ）及び（ｆ）に示すように、搬送ローラ３７の位置が固定された状態となり、搬送ローラ駆動部３８が搬送ローラ３７を回転駆動させることによってＤＶＤディスクｄが筐体１０の内部に搬送される。
【００３１】
上述したように、本実施形態に係る光ディスク装置１によれば、挿入口１６にＤＶＤディスクｄが挿入されると、搬送ローラ３７の回転軸３７ａの他端３７ａ２が移動することにより、他端３７ａ２側に連結された駆動ギア４１が挿入検出スイッチ３６を押圧してオンにし、搬送ローラ駆動部３８を駆動状態に切り換える。そのため、従来のようにＤＶＤディスクｄの挿入の有無を検出するための光センサが必要ないので、ＤＶＤプレーヤ１の待機電力を低減させることができる。
【００３２】
また、挿入口１６へのＤＶＤディスクｄの挿入時に、挿入検出スイッチ３６のバネ３６ａが、ＤＶＤディスクｄの挿入方向と反対方向に駆動ギア４１の面状部４１ｂを付勢して搬送ローラ３７の位置を固定させる。そのため、搬送ローラ３７の位置を固定するための、例えばスプリング等の部材が不要となるので、ＤＶＤプレーヤ１の製造コストを抑制することができる。
【００３３】
また、挿入検出スイッチ３６が、歯車形状ではなく面形状の面状部４１ｂを押圧するので、歯車形状部による挿入検出スイッチ３６の磨耗劣化を防ぐことができる。
【００３４】
なお、本発明は、上記実施形態の構成に限られず、発明の趣旨を変更しない範囲で種々の変形が可能である。例えば、搬送ローラ３７の回転軸３７ａ又は他端３７ａ２が直接、挿入検出スイッチ３６を押圧するものであってもよい。
【図面の簡単な説明】
【００３５】
【図１】本発明の一実施形態に係るＤＶＤプレーヤの外観を示す斜視図。
【図２】上記ＤＶＤプレーヤの概略構成を示すブロック図。
【図３】上記ＤＶＤプレーヤを操作するリモコン装置の上面を示す図。
【図４】上記ＤＶＤプレーヤの光ディスクドライブの概略構成を示す図。
【図５】上記光ディスクドライブの内部構成を示す斜視図。
【図６】上記図５に示す領域Ａの拡大図。
【図７】上記図６のＢ−Ｂ´線断面図。
【図８】（ａ）〜（ｆ）は、上記ＤＶＤプレーヤにおける光ディスクの挿入動作を説明する説明図。
【符号の説明】
【００３６】
１  ＤＶＤプレーヤ（光ディスク装置）
１６  挿入口
３６  挿入検出スイッチ（スイッチ手段）
３６ａ  バネ（付勢手段）
３７  搬送ローラ
３７ａ  回転軸（搬送ローラ）
３７ａ１  一端（搬送ローラの回転軸）
３７ａ２  他端（搬送ローラの回転軸）
３８  搬送ローラ駆動部（搬送ローラ駆動手段）
４１  駆動ギア（ギア）
４１ａ  歯車部
４１ｂ  面状部
【図１】
2010113787.tif 000003
【図２】
2010113787.tif 000004
【図３】
2010113787.tif 000005
【図４】
2010113787.tif 000006
【図５】
2010113787.tif 000007
【図６】
2010113787.tif 000008
【図７】
2010113787.tif 000009
【図８】
2010113787.tif 000010